(57)【特許請求の範囲】
【請求項１】
放送電波に含まれる複数のチャンネルの中からユーザ指示に基づく所望チャンネルを選択的に受信するデジタル放送受信装置であって、
前記所望チャンネルに対応する第１の画像符号化データを前記放送電波から抽出するための第１の選局手段と、
前記複数のチャンネルのうちの１つを裏チャンネルとして順次選択し、前記裏チャンネルに対応する第２の画像符号化データを前記放送電波から抽出するための第２の選局手段と、
前記複数のチャンネルのそれぞれに対応する前記第２の画像符号化データを記憶するためのデータ記憶手段と、
前記第１および第２の画像符号化データのいずれかを与えられて、与えられた画像符号化データを復号して、画像表示のための画像信号を生成する第１の画像データ復号手段と、
前記第１の選局手段によって抽出された前記第１の画像符号化データのデータ量が通常再生が可能となる一定量に達しているか否かに基づいて、前記第１の画像データ復号手段における前記第１の画像符号化データに基づく画像表示が可能および不能のいずれであるかを判断する判定手段とを備え、
前記第１の画像データ復号手段は、前記判定手段によって前記第１の画像符号化データに基づく画像表示が不能と判断された場合において、前記データ記憶手段からの前記第２の画像符号化データを復号して前記画像信号を生成する、デジタル放送受信装置。
【請求項２】
前記デジタル放送受信装置は、さらに、
前記所望チャンネルに対応する、前記第１の選局手段からの第１の画像符号化データおよび前記データ記憶手段からの前記第２の画像符号化データを受けて、いずれか一方を選択的に出力する第１のデータ選択手段を備え、
前記第１の画像データ復号手段は、前記第１のデータ選択手段からの出力を復号して画像信号を生成する、請求項１記載のデジタル放送受信装置。
【請求項３】
ユーザによる前記所望チャンネルの切換を検知する手段と、
前記検知に応答して、前記第１のデータ選択手段からの出力を前記第２の画像符号化データに切換える手段と、
前記第１の画像データ復号手段における前記第１の画像符号化データに基づく前記画像信号の生成が前記不能である場合に、前記第１のデータ選択手段からの出力を前記第２の画像符号化データに維持する手段と、
前記第１の画像データ復号手段における前記第１の画像符号化データに基づく前記画像信号の生成が前記可能である場合に、前記第１のデータ選択手段からの出力を前記第１の画像符号化データから前記第２の画像符号化データへ切換える手段とをさらに備える、請求項１記載のデジタル放送受信装置。
【請求項４】
前記デジタル放送受信装置は、さらに、
前記第２の選局手段によって抽出された前記第２の画像符号化データを復号する第２の画像データ復号手段と、
前記第２の画像データ復号手段によって復号された前記第２の画像符号化データを再符号化するための画像データ符号化手段とをさらに備え、
前記データ記憶手段は、前記画像データ符号化手段によって前記再符号化された前記第２の画像符号化を記憶し、
前記再符号化された前記第２の画像符号化データは、前記第２の選局手段の抽出時における前記第２の画像符号化データよりもデータ量が少ない、請求項１記載のデジタル放送受信装置。
【請求項５】
前記デジタル放送受信装置は、さらに、
前記第１の画像データ復号手段から出力される前記画像信号を一時的に蓄積するためのデータバッファ手段と、
前記画像信号を再符号化するための画像データ符号化手段と、
前記第１の画像データ復号手段が出力する前記画像信号を前記データバッファ手段および前記画像データ符号化手段のいずれか一方に対して選択的に出力する第１のデータ選択手段と、
前記所望チャンネルに対応する、前記第１の選局手段からの第１の画像符号化データおよび前記データ記憶手段からの前記第２の画像符号化データと、前記裏チャンネルに対応する前記第２の選局部からの前記第２の画像符号化データとを受けて、いずれか１つを前記第１の画像データ復号手段に対して出力する第２のデータ選択手段とを備え、
前記データ記憶手段は、前記画像データ符号化手段によって前記再符号化された画像信号を前記第２の画像符号化データとして記憶し、
前記再符号化された前記第２の画像符号化データは、前記第２の選局手段の抽出時における前記第２の画像符号化データよりもデータ量が少ない、請求項１記載のデジタル放送受信装置。
【請求項６】
画像データ符号化手段は、前記第１の画像符号化データに対応する第１の解像度よりも低い第２の解像度に基づいて前記再符号化を実行する、請求項４または５に記載のデジタル放送受信装置。
【請求項７】
前記裏チャンネルの選択を一定周期で順次更新する手段をさらに備える、請求項１から５のいずれかに記載のデジタル放送受信装置。
【請求項８】
放送電波に含まれる複数のチャンネルの中からユーザ指示に基づく所望チャンネルを選択的に受信するデジタル放送受信装置であって、
前記所望チャンネルに対応する第１の画像符号化データを前記放送電波から抽出するための単一の選局手段と、
所定画面を表示するための第２の画像符号化データを記憶するためのデータ記憶手段と、
前記第１および第２の画像符号化データのいずれかを与えられて、与えられた画像符号化データを復号して、前記画像表示のための画像信号を生成する画像データ復号手段と、
前記選局手段によって抽出された前記第１の画像符号化データのデータ量が通常再生が可能となる一定量に達しているか否かに基づいて、前記第１の画像データ復号手段における前記第１の画像符号化データに基づく画像表示が可能および不能のいずれであるかを判断する判定手段とを備え、
前記画像データ復号手段は、前記第１の画像符号化データに基づく画像表示が前記判定手段によって不能と判断された場合において、前記データ記憶手段からの前記第２の画像符号化データを復号して、前記画像信号を生成する、デジタル放送受信装置。
【請求項９】
前記デジタル放送受信装置は、さらに、
前記所望チャンネルに対応する前記選局手段からの第１の画像符号化データおよび前記データ記憶手段からの前記第２の画像符号化データを受けて、いずれか一方を選択的に出力するデータ選択手段を備え、
前記画像データ復号手段は、前記データ選択手段からの出力を復号して画像信号を生成する、請求項８記載のデジタル放送受信装置。
【請求項１０】
前記データ記憶手段は、前記デジタル放送受信装置の出荷時において、前記第２の画像符号化データを記憶する、請求項８記載のデジタル放送受信装置。
【請求項１１】
前記前記データ記憶手段は、複数の前記第２の画像符号化データを記憶し、
デジタル放送受信装置は、さらに、
現在の日付および時刻の少なくとも一方を検出する計時手段と、
前記計時手段による前記検出に応じて、前記複数の前記第２の画像符号化データのうちの１個を選択的に出力する手段とを備える、請求項８記載のデジタル放送受信装置。
【請求項１２】
前記データ記憶手段は、前記複数のチャンネルにそれぞれ対応する複数の前記第２の画像符号化データを記憶し、
前記データ記憶手段は、前記所望チャンネルに対応した前記複数の前記第２の画像符号化データのうちの１つを出力する、請求項８記載のデジタル放送受信装置。
【請求項１３】
前記複数の前記第２の画像符号化データは、前記放送電波において画像情報に多重化されて伝送される文字情報を含む、請求項１２記載のデジタル放送受信装置。
【請求項１４】
ユーザによって選択された画面に対応する前記画像信号を再符号化するための画像データ符号化手段とをさらに備え、
前記データ記憶手段は、前記画像データ符号化手段によって再符号化された画像信号を前記第２の画像符号化データとして記憶する、請求項８記載のデジタル放送受信装置。
【請求項１５】
前記選局手段における前記放送電波の受信状況に応じて、
前記データ選択手段の出力を前記第１の画像符号化データから前記第２の画像符号化データに切換える手段をさらに備える、請求項９記載のデジタル放送受信装置。
【請求項１６】
放送電波に含まれる複数のチャンネルの中からユーザ指示に基づく所望チャンネルを選択的に受信するデジタル放送受信装置であって、
前記所望チャンネルに対応する第１の画像符号化データを前記放送電波から抽出するための選局手段と、
所定画面を表示するための第２の画像符号化データを記憶するためのデータ記憶手段と、
前記第１および第２の画像符号化データのいずれかを与えられて、与えられた画像符号化データを復号して、画像表示のための画像信号を生成する画像データ復号手段と
前記選局手段によって抽出された前記第１の画像符号化データのデータ量が通常再生が可能となる一定量に達しているか否かに基づいて、前記第１の画像データ復号手段における前記第１の画像符号化データに基づく画像表示が可能および不能のいずれであるかを判断する判定手段とを備え、
前記画像データ復号手段は、前記第１の画像符号化データに基づく画像表示が前記判定手段によって不能と判断された場合において、前記データ記憶手段からの前記第２の画像符号化データを復号して前記画像信号を生成し、
前記データ記憶手段は、前記デジタル放送受信装置の出荷時において、前記第２の画像符号化データを記憶する、デジタル放送受信装置。
【請求項１７】
放送電波に含まれる複数のチャンネルの中からユーザ指示に基づく所望チャンネルを選択的に受信するデジタル放送受信装置であって、
前記所望チャンネルに対応する第１の画像符号化データを前記放送電波から抽出するための選局手段と、
所定画面を表示するための第２の画像符号化データを記憶するためのデータ記憶手段と、
前記第１および第２の画像符号化データのいずれかを与えられて、与えられた画像符号化データを復号して、画像表示のための画像信号を生成する画像データ復号手段と、
前記選局手段によって抽出された前記第１の画像符号化データのデータ量が通常再生が可能となる一定量に達しているか否かに基づいて、前記第１の画像データ復号手段における前記第１の画像符号化データに基づく画像表示が可能および不能のいずれであるかを判断する判定手段とを備え、
前記画像データ復号手段は、前記第１の画像符号化データに基づく画像表示が前記判定手段によって不能と判断された場合において、前記データ記憶手段からの前記第２の画像符号化データを復号して前記画像信号を生成し、
前記データ記憶手段は、前記複数のチャンネルにそれぞれ対応する複数の前記第２の画像符号化データを記憶し、
前記データ記憶手段は、前記所望チャンネルに対応した前記複数の前記第２の画像符号化データのうちの１つを出力する、デジタル放送受信装置。
【発明の詳細な説明】
【０００１】
【発明の属する技術分野】
この発明は、デジタル放送受信装置に関し、より特定的には、デジタルテレビ放送を受信するためのデジタル放送受信装置に関する。
【０００２】
【従来の技術】
近年、テレビ放送のデジタル化計画が世界的に急速に進展している。特に、デジタルテレビ放送においては、データ圧縮／伸長規格の国際標準であるＭＰＥＧ２（Moving Picture Experts Group 2）を用いることによって、単一の中継器によって複数のチャンネルを伝送することが可能になった結果、チャンネル数を飛躍的に増加することができる。これにより、ユーザの利便性が大幅に向上するものと期待されている。
【０００３】
デジタルテレビ放送の受信においては、圧縮された符号化データを復号して実際の画像信号および音声信号を得る必要がある。
【０００４】
図１１は、一般的なデジタルテレビ放送受信システムの構成を示す概略ブロック図である。
【０００５】
図１１を参照して、デジタルテレビ放送受信システム１は、放送電波であるＲＦ信号を受けるアンテナ２と、ユーザからのチャンネル選択指示に従って、ＲＦ信号の検波および復調を実行する検波・復調部３とを備える。検波・復調部３からは、ＭＰＥＧ２規格に従うトランスポートストリームデータ（以下単にＴＳデータとも称する）が出力される。ＴＳデータは、画像信号、音声信号およびデータ信号にそれぞれ対応する符号化データが多重化されて、１本のデータストリームとして構成されている。
【０００６】
デジタルテレビ放送受信システム１は、さらに、多重化されたＴＳデータを分離するためのＴＳ分離部４と、ＴＳ分離部４から受けた音声符号化データを復号するためのオーディオデコード部５と、ＴＳ分離部４から受けた画像符号化データを復号するためのビデオデコード部６とを備える。オーディオデコード部５およびビデオデコード部６は、ＭＰＥＧ２規格に従って、圧縮された符号化データの復号を実行する。オーディオデコード部５およびビデオデコード部６からは音声信号および画像信号がそれぞれ出力され、音声出力部７および画像表示部８にそれぞれ伝達される。これにより、アンテナ２によって受信されたＲＦ信号の中から、ユーザのチャンネル選択に対応した画像信号および音声信号を画像表示部８および音声出力部７に出力することができる。
【０００７】
また、図１１においては、その表記を省略しているが、ＴＳデータ中に含まれるデータ信号についても、ＭＰＥＧ２規格に基づいた復号を実行して、画像表示部８に併せて出力することが可能である。
【０００８】
【発明が解決しようとする課題】
しかしながら、デジタルテレビ放送においては、受信装置の電源投入時やユーザによるチャンネル選択の切換時（以下、単にチャンネル切換時とも称する）において、放送電波に対応するリアルタイムな画像を即座に表示することが、原理的に困難である。この間において、画像表示部８には画像が表示されないので、ユーザに余計な不安やストレスを感じさせてしまう可能性がある。
【０００９】
再び図１１を参照して、検波・復調部３においてデータ復調を開始するためには、誤り訂正等の実行に最低限必要な所定量以上の受信データが蓄積されることが必要となる。したがって、電源投入時やチャンネル切換時においては、所定量の受信データが蓄積されるまでの期間、検波・復調部３からのＴＳデータの出力が遅れることになる。また、画像符号化データの復号においても、ＭＰＥＧ２規格の性質上画像表示に遅れが生じる可能性がある。
【００１０】
図１２は、ＭＰＥＧ２に従う画像符号化データの構成を説明する概略図である。
【００１１】
図１２を参照して、ＭＰＥＧ２規格に従う画像符号化データ（以下、単にＭＰＥＧ２画像符号化データともいう）は、階層構成を有するビットストリームデータとして表現される。特に、ＭＰＥＧ２規格においては、何枚かの画面に対応するデータをＧＯＰ（Ｇｒｏｕｐ  ｏｆ  Ｐｉｃｔｕｒｅ）と呼ばれる一定区分として、このＧＯＰ単位にランダムアクセスを可能とするＧＯＰ構造が採用される。
【００１２】
すなわち、ＭＰＥＧ２画像符号化データは、複数のＧＯＰで構成され、各ＧＯＰに対応してシーケンスヘッダＳＨが設けられる。シーケンスヘッダＳＨには、データサイズ等の情報が記録されており、ＧＯＰ単位で実行されるランダムアクセスの頭出し等に使用される。
【００１３】
１つのＧＯＰは、予め定められた所定数の原画面をそれぞれ圧縮符号化して生成される画面データが含まれる。ＭＰＥＧ２規格では、各画面データは、原画面の圧縮符号化方式によって、３つのピクチャタイプ、Ｉピクチャ（Ｉｎｔｒａ−ｃｏｄｅｄ  ｐｉｃｔｕｒｅ）、Ｐピクチャ（Ｐｒｅｄｉｃｔｉｖｅ−ｃｏｄｅｄ  ｐｉｃｔｕｒｅ）およびＢピクチャ（Ｂｉｄｉｒｅｃｔｉｏｎａｌｌｙ  ｐｒｅｄｉｃｔｉｖｅ−ｃｏｄｅｄ  ｐｉｃｔｕｒｅ）に分類される。
【００１４】
Ｉピクチャは、イントラ符号化画面とも呼ばれ、原画面１枚の中だけで閉じた情報のみで符号化される。したがって、Ｉピクチャは、前後の他の画面データピクチャとは独立性を保っており、Ｉピクチャ自身のみで復号することが可能である。各ＧＯＰは、少なくとも１枚のＩピクチャを含むように構成される。
【００１５】
Ｐピクチャは、フレーム間順方向予測符号化画面とも呼ばれ、予測画像（差分を取る基準となる画像）として、時間的に前の既に復号されたＩピクチャまたはＰピクチャを使用するものであり、動き補償された予測画像との差分を符号化するものである。
【００１６】
Ｂピクチャは、双方向予測符号化画面とも呼ばれ、ＩピクチャおよびＰピクチャを先に処理した後に、その間に挿入される画像として符号化される。すなわち、Ｂピクチャは、予測画像として、時間的に前の既に復号されたＩピクチャまたはＰピクチャ、時間的に後の既に復号されたＩピクチャまたはＰピクチャ、ならびにこの両方から作られた補間画像の３種類を使用する。
【００１７】
したがって、ビデオデコード部６は、シーケンスヘッダＳＨおよびＩピクチャ画面が正しく復号されるまでの間、画像信号を出力することができない。また、オーディオデコード部５とビデオデコード部６との出力タイミングを調整して、画像表示部８に出力される画像信号と音声出力部７に出力される音声信号との間の同期、すなわちＡＶ同期を確保するために、オーディオデコード部５およびビデオデコード部６において一定量の符号化データが蓄積されることが必要である。したがって、ＡＶ同期を確保するために必要な符号化データを蓄積するまでの期間においても、画像表示が遅れることになる。これらの要因による、電源投入時およびチャンネル切換時における画像表示までの遅れは、２〜３秒程度に達することが予想される。
【００１８】
一方、ユーザがチャンネルを選択する場合において、視聴を希望する特定のチャンネルが存在しないときには、各チャンネルを瞬間的かつ連続的に選択して、各チャンネルにおける放送内容を短時間で把握するためのチャンネル選択操作が行なわれる傾向にある。以下においては、このようなチャンネル選択操作を「チャンネルのつまみ食い操作」とも称することとする。
【００１９】
したがって、デジタルテレビ放送受信時においては、上述したチャンネル切換時における画像表示までの遅れの影響によって、現状のアナログテレビ放送受信時においてユーザが日常的に実行している「チャンネルのつまみ食い操作」をスムーズに実行できなくなるおそれがある。特に、ユーザがチャンネル切換指示を入力した後に、画像表示部８において画像信号が出力されない期間が生しることによって、ユーザに対して余計な不安やストレスによる不快感を与える可能性が高い。
【００２０】
この発明は、このような問題点を解決するためになされたものであって、この発明の目的は、デジタル放送受信装置の電源投入時およびチャンネル切換時において、選択されたチャンネルに対応するリアルタイムな通常画像の表示が可能になるまでの間においても適切な画像表示を提供することによって、ユーザに対して不快感を与えないようにすることである。
【００２１】
【課題を解決するための手段】
この発明に従うと、デジタル放送受信装置は、放送電波に含まれる複数のチャンネルの中からユーザ指示に基づく所望チャンネルを選択的に受信するデジタル放送受信装置であって、所望チャンネルに対応する第１の画像符号化データを放送電波から抽出するための第１の選局手段と、複数のチャンネルのうちの１つを裏チャンネルとして順次選択し、裏チャンネルに対応する第２の画像符号化データを放送電波から抽出するための第２の選局手段と、複数のチャンネルのそれぞれに対応する第２の画像符号化データを記憶するためのデータ記憶手段と、第１および第２の画像符号化データのいずれかを与えられて、与えられた画像符号化データを復号して、画像表示のための画像信号を生成する第１の画像データ復号手段と、第１の選局手段によって抽出された第１の画像符号化データのデータ量が通常再生が可能となる一定量に達しているか否かに基づいて、第１の画像データ復号手段における第１の画像符号化データに基づく画像表示が可能および不能のいずれであるかを判断する判定手段とを備える。さらに、第１の画像データ復号手段は、判定手段によって第１の画像符号化データに基づく画像表示が不能と判断された場合において、データ記憶手段からの第２の画像符号化データを復号して画像信号を生成する。
【００２２】
好ましくは、所望チャンネルに対応する、第１の選局手段からの第１の画像符号化データおよびデータ記憶手段からの第２の画像符号化データを受けて、いずれか一方を選択的に出力する第１のデータ選択手段をさらに備え、第１の画像データ復号手段は、第１のデータ選択手段からの出力を復号して画像信号を生成する。
【００２３】
好ましくは、第２の選局手段によって抽出された第２の画像符号化データを復号する第２の画像データ復号手段と、第２の画像データ復号手段によって復号された第２の画像符号化データを再符号化するための画像データ符号化手段とをさらに備え、データ記憶手段は、画像データ符号化手段によって再符号化された第２の画像符号化を記憶し、再符号化された第２の画像符号化データは、第２の選局手段の抽出時における第２の画像符号化データよりもデータ量が少ない。
【００２４】
好ましくは、第１の画像データ復号手段から出力される画像信号を一時的に蓄積するためのデータバッファ手段と、画像信号を再符号化するための画像データ符号化手段と、第１の画像データ復号手段が出力する画像信号をデータバッファ手段および画像データ符号化手段のいずれか一方に対して選択的に出力する第１のデータ選択手段と、所望チャンネルに対応する、第１の選局手段からの第１の画像符号化データおよびデータ記憶手段からの第２の画像符号化データと、裏チャンネルに対応する第２の選局部からの第２の画像符号化データとを受けて、いずれか１つを第１の画像データ復号手段に対して出力する第２のデータ選択手段とをさらに備え、データ記憶手段は、画像データ符号化手段によって再符号化された画像信号を第２の画像符号化データとして記憶し、再符号化された第２の画像符号化データは、第２の選局手段の抽出時における第２の画像符号化データよりもデータ量が少ない。
【００２５】
この発明の他の局面に従うと、デジタル放送受信装置は、放送電波に含まれる複数のチャンネルの中からユーザ指示に基づく所望チャンネルを選択的に受信するデジタル放送受信装置であって、所望チャンネルに対応する第１の画像符号化データを放送電波から抽出するための単一の選局手段と、所定画面を表示するための第２の画像符号化データを記憶するためのデータ記憶手段と、第１および第２の画像符号化データのいずれかを与えられて、与えられた画像符号化データを復号して、画像表示のための画像信号を生成する画像データ復号手段と、選局手段によって抽出された第１の画像符号化データのデータ量が通常再生が可能となる一定量に達しているか否かに基づいて、第１の画像データ復号手段における第１の画像符号化データに基づく画像表示が可能および不能のいずれであるかを判断する判定手段とを備える。画像データ復号手段は、第１の画像符号化データに基づく画像表示が判定手段によって不能と判断された場合において、データ記憶手段からの第２の画像符号化データを復号して、画像信号を生成する。
【００２６】
好ましくは、所望チャンネルに対応する、選局手段からの第１の画像符号化データおよびデータ記憶手段からの第２の画像符号化データを受けて、いずれか一方を選択的に出力するデータ選択手段を備え、画像データ復号手段は、データ選択手段からの出力を復号して画像信号を生成する。
【００２７】
【発明の実施の形態】
以下において、本発明の実施の形態について図面を参照して詳しく説明する。
【００２８】
［実施の形態１］
図１は、本発明の実施の形態１に従うデジタル放送受信装置の画像信号処理に関する主要部を説明するブロック図である。
【００２９】
図１を参照して、デジタル放送受信装置１０は、アンテナ２によって受信された放送電波であるＲＦ信号を受ける入力端子１１ａと、電源投入やチャンネル選択等のユーザ操作を受ける入力端子１１ｂと、画像表示部８に対してユーザが選択した所望のチャンネルに応じた画像信号を出力する出力端子１１ｃとを備える。入力端子１１ｂに入力されるユーザ操作は、パネル等によってデジタル放送受信装置１０と一体型に設けられる操作部から入力する構成および、赤外線等によってデジタル放送受信装置１０の外部からリモートコントロールによって入力する構成のいずれとすることも可能である。
【００３０】
デジタル放送受信装置１０は、さらに、ＲＦ信号から所定のチャンネルに対応する画像符号化データを抽出するための選局部１８ａおよび１８ｂを備える。選局部１８ａは、チャンネル選択信号ＣＳＬ１に応じた選局を実行するチューナ１２ａと、チューナ１２ａによって選局された信号を復調する復調部１４ａと、復調信号をＴＳデータに変換するためのトランスポートストリームデコーダ（以下、ＴＳデコーダと称する）１６ａとを含む。
【００３１】
同様に、選局部１８ｂは、チャンネル選択信号ＣＳＬ２に応じた選局を実行するチューナ１２ｂと、チューナ１２ｂによって選局された信号を復調する復調部１４ｂと、復調信号をＴＳデータに変換するためのＴＳデコーダ１６ｂとを含む。これにより、ＴＳデコーダ１６ａおよび１６ｂは、選局されたチャンネルに対応するベースバンド信号を抽出する。
【００３２】
選局部１８ａおよび１８ｂの２系統を設けることにより、画像表示部８にユーザの所望チャンネルに対応する画像が表示されている間においても、後に説明するようなバックグラウンド再生を行なうための受信動作を行なうことができる。選局部１８ａは、チャンネル選択信号ＣＳＬ１に応じて、ユーザが選択した所望チャンネルに対応する選局を行なう。一方、選局部１８ｂは、チャンネル選択信号ＣＳＬ２に応じて、ユーザの所望チャンネルとは無関係に順次選択されるチャンネルに対応する選局をバックグラウンドにおいて実行する。
【００３３】
図１の構成においては、ＴＳデコーダ１６ａおよび１６ｂから出力されるＭＰＥＧ２規格に従う符号化データであるＴＳデータのうち、画像符号化データに関する構成のみを表示する。したがって、ＴＳデコーダ１６ａは、所望チャンネルに対応する画像符号化データＶＣＤａを出力し、ＴＳデコーダ１６ｂは、バックグランド受信された画像符号化データＶＣＤｂを出力する。
【００３４】
選局部１８ａからの画像符号化データＶＣＤａを復号した画像信号に基づいた再生を行なう場合には、ユーザの所望チャンネルを放送電波から抽出して、リアルタイムに画像を表示することができる。以下においては、画像符号化データＶＣＤａに基づく画像表示を通常再生とも称する。一方、選局部１８ｂからの画像符号化データＶＣＤｂに基づく画像表示をバックグラウンド再生とも称する。
【００３５】
なお、デジタル放送受信装置１０において、画像表示部８に複数のチャンネルを多重表示するマルチチャンネル表示機能を具備させる場合には、必然的に複数系統の選局部が必要となる。したがって、マルチチャンネル表示機能を具備するデジタル放送受信装置１０においては、複数系統配置された選局部のうちの１つを、マルチチャンネル表示機能の非選択時において、バックグラウンドにおける受信動作に使用すればよい。
【００３６】
デジタル放送受信装置１０は、さらに、画像符号化データを復号するためのＭＰＥＧビデオデコード部２０と、デジタル放送受信装置１０における画像処理動作を制御するための制御部４０と、入力端子１１ｂに入力されたユーザ操作を制御部４０に伝達するためのインターフェイス部４５とを備える。
【００３７】
デジタル放送受信装置１０は、さらに、バックグラウンドで受信した画像符号化データを記録するためのメモリ部３０を備える。メモリ部３０は、受信可能なｎ個（ｎ：自然数）のチャンネルにそれぞれ対応した複数のメモリ領域ＭＡ１〜ＭＡｎを有する。メモリ部３０は、制御部４０が生成するメモリ制御信号ＣＭＤに応答して、データの書込、記憶および読出を実行する。
【００３８】
デジタル放送受信装置１０は、さらに、ＴＳデコーダ１６ｂから出力される画像符号化データＶＣＤｂをメモリ領域ＭＡ１〜ＭＡｎの１個に対して選択的に伝達するためのデータセレクタ３１と、メモリ領域ＭＡ１〜ＭＡｎからそれぞれ出力される画像符号化データのうちの１個をデータセレクタ３４に伝達するためのデータセレクタ３２と、ＴＳデコーダ１６ａから出力される画像符号化データＶＣＤａおよびデータセレクタ３２から出力される画像符号化データＶＣＤｂのいずれか一方をＭＰＥＧビデオデコード部２０に対して出力するデータセレクタ３４とを備える。
【００３９】
ＭＰＥＧビデオデコード部２０は、図示しないが、データセレクタ３４から伝達された画像符号化データを復号するためのデコードＬＳＩやデータを一時蓄積するためのバッファとして用いられるワークメモリ等を含む。
【００４０】
制御部４０は、ユーザのチャンネル選択に基づくチャンネル選択信号ＣＳＬ１と、ユーザのチャンネル選択とは無関係に周期的にバックグラウンドチャンネルを切換えるためのチャンネル選択信号ＣＳＬ２と、データセレクタ３４におけるデータ出力を選択するための再生データ選択信号ＳＬＶと、メモリ部３０の動作を制御するためのメモリ制御信号ＣＭＤとを生成する。
【００４１】
チャンネル選択信号ＣＳＬ１は、ユーザが選択した所望のチャンネルに対応して設定される。チャンネル選択信号ＣＳＬ２は、ユーザのチャンネル選択とは無関係に、受信可能なｎ個のチャンネルのうちの１つをバックグラウンドチャンネルとして周期的に順次選択できるように設定される。
【００４２】
データセレクタ３１は、チャンネル選択信号ＣＳＬ２に応じて、選局部１８ｂから出力された画像符号化データＶＣＤｂをメモリ部３０中のバックグラウンドチャンネルに対応するメモリ領域に伝達する。制御部４０は、データセレクタ３１から画像符号化データＶＣＤｂが伝達されるタイミングに合致させて、メモリ部３０に対してデータ書込を指示する。
【００４３】
このようにして、メモリ部３０においては、受信可能なｎ個のチャンネルのそれぞれに対応して、バックグランドで受信された過去の画面に対応した画像符号化データがバックグランドデータとして記憶される。各チャンネルに対応するバックグラウンドデータは、チャンネル選択信号ＣＳＬ２に応じて、周期的に更新される。
【００４４】
バックグラウンドデータとしては、たとえばＩピクチャ画面の画像符号化データを静止画として記憶すればよい。また、Ｉピクチャ画面とそれに関連する何枚かのＢピクチャ画面およびＰピクチャを組合せて、ごく短時間の動画像データとして記憶してもよい。
【００４５】
ユーザ操作によってチャンネル選択が切換えられると、制御部４０は、チャンネル選択信号ＣＳＬ１の設定を変更する。これに応答して、選局部１８ａは新たに選択されたチャンネル（以下、切換後チャンネルとも称する）に対応する画像符号化データＶＣＤａの生成を開始する。しかし、切換後チャンネルに対応する通常再生が可能となるまでには、画像符号化データＶＣＤａの生成が一定量に達するまでの一定時間を要する。
【００４６】
ＭＰＥＧビデオデコード部２０は、ＴＳデコーダ１６ａにおける切換後チャンネルに対応した画像符号化データＶＣＤａの生成状況を監視して、切換後チャンネルに対応する通常再生が可能であるかを示すフラグ信号ＲＤＹを生成する。フラグ信号ＲＤＹは、チャンネル選択の切換に応答して、Ｌレベルにリセットされる。ＴＳデコーダ１６ａによって生成される画像符号化データＶＣＤａが通常再生が可能な一定量に到達するまでの間、フラグ信号ＲＤＹはＬレベルに維持される。
【００４７】
制御部４０は、フラグ信号ＲＤＹの信号レベルがＬレベルである期間（以下、通常再生待ち期間とも称する）においては、バックグラウンド再生の実行を指示する。
【００４８】
制御部４０は、チャンネル選択の切換に応答して、メモリ領域ＭＡ１〜ＭＡｎに記憶されたバックグラウンドデータの読出をメモリ部３０に対して指示する。データセレクタ３２は、メモリ部３０から出力されたバックグラウンドデータをチャンネル選択信号ＣＳＬ１に応じて選択し、切換後チャンネルに対応する画像符号化データＶＣＤｂをデータセレクタ３４に対して出力する。
【００４９】
制御部４０は、通常再生が可能かどうかを示すフラグ信号ＲＤＹの信号レベルに応じて、再生データ選択信号ＳＬＶを生成する。すなわち、再生データ選択信号ＳＬＶは、通常再生の準備が整っていない通常再生待ち期間においては、データセレクタ３４に対して、バックグランド再生を行なうための画像符号化データＶＣＤｂの出力を指示する。これにより、チャンネル切換直後において、通常再生による画像表示ができない場合においても、切換後チャンネルに対応する過去の画像を表示することができ、ユーザの不快感を取除くことができる。
【００５０】
バックグラウンド再生と並行して、選局部１８ａによる選局および復調動作は並列に実行されているので、切換後チャンネルに対応する画像符号化データＶＣＤａが一定量以上生成された後には、通常再生が可能な状態となる。ＭＰＥＧビデオデコード部２０は、通常再生が可能な状態となった場合には、フラグ信号ＲＤＹの信号レベルをＬレベルからＨレベルに変更する。
【００５１】
これに応じて、制御部４０は、再生データ選択信号ＳＬＶの信号レベルを切換える。これに応答して、データセレクタ３４は、ＭＰＥＧビデオデコード部２０に伝達される画像符号化データを、バックグラウンド再生のための画像符号化データＶＣＤｂから通常再生を行なうための画像符号化データＶＣＤａに切換える。この後、フラグ信号ＲＤＹおよび再生データ選択信号ＳＬＶの信号レベルは、新たなチャンネル切換操作が入力されるまでの間維持される。このように、データセレクタ３４を配置してＭＰＥＧビデオデコード部２０に供給される画像符号化データを切換えることにより、ＭＰＥＧビデオデコード部２０を通常再生およびバックグラウンド再生の間で共用できる。
【００５２】
図２は、ユーザによるチャンネル選択の切換時における制御部４０の制御動作を説明するフローチャートである。
【００５３】
図２を参照して、ユーザによってチャンネル選択を切換えるための操作が実行されると（ステップＳ１００）、制御部４０は、チャンネル選択信号ＣＳＬ１をユーザのチャンネル選択に応じて更新する（ステップＳ１１０）。また、ＭＰＥＧビデオデコード部に対してフラグ信号ＲＤＹのリセット（Ｌレベルへ）を指示する（ステップＳ１２０）。
【００５４】
制御部４０は、フラグ信号ＲＤＹの信号レベルを監視することによって、切換後チャンネルに対応する通常再生が可能であるかどうかをチェックする（ステップＳ１３０）。通常再生のための準備が整っていない場合には、再生データ選択信号ＳＬＶをＬレベルに設定して、データセレクタ３２から出力される、バックグラウンドデータである画像符号化データＶＣＤｂをＭＰＥＧビデオデコード部２０に送出する（ステップＳ１４０）。これにより、通常再生待ち期間においては、バックグラウンド再生が行なわれる。ステップＳ１４０は、通常再生が可能となるまでの間繰返して実行される。
【００５５】
通常再生のための条件が整い、フラグ信号ＲＤＹの信号レベルがＨレベルに変化すると、制御部４０は、再生データ選択信号ＳＬＶの信号レベルをＬレベルからＨレベルに変化させる（ステップＳ１５０）。これに応じて、ＭＰＥＧビデオデコード部２０に対して、ＴＳデコーダ１６ａからの画像符号化データＶＣＤａが伝達される。これにより、切換後チャンネルに対応した通常再生が実行される（ステップＳ１６０）。
【００５６】
このような、制御部４０の動作は、たとえばＲＯＭ（Ｒｅａｄ  Ｏｎｌｙ  Ｍｅｍｏｒｙ）等に記録されたプログラムに基づいてソフトウェア的に処理することができる。また、図２に示したフローチャートに対応するハードウェアを設ける構成とすることもできる。
【００５７】
図３は、デジタル放送受信装置１０の動作の一例を説明するタイミングチャートである。図３においては、時刻ｔ０以前においてはチャンネルｃｈ１が選択され、時刻ｔ０においてチャンネル選択がｃｈ１からｃｈ２に切換えられる。また、時刻ｔ１においてチャンネルｃｈ２からｃｈ４にチャンネル選択が切換えられ、時刻ｔ２においてチャンネルｃｈ４からｃｈ５にチャンネル選択が切換えられるものとする。
【００５８】
図３を参照して、チャンネル選択信号ＣＳＬ１は、ユーザのチャンネル選択に応じて設定される。すなわち、チャンネル選択信号ＣＳＬ１は、時刻ｔ０以前、時刻ｔ０からｔ１の間、時刻ｔ１からｔ２の間、時刻ｔ２以降において、ｃｈ１、ｃｈ２、ｃｈ４、ｃｈ５をそれぞれ選択する。
【００５９】
チャンネル選択信号ＣＳＬ２は、ユーザのチャンネル選択とは無関係に、周期的にチャンネル選択を切換える。図２の場合においては、受信可能なチャンネルが５個である場合を示しており、チャンネル選択信号ＣＳＬ２によって、５個のチャンネルｃｈ１〜ｃｈ５が周期的に選択される。
【００６０】
チャンネル選択信号ＣＳＬ２に応じて選局部１８ｂから出力される画像符号化データＶＣＤｂは、バックグラウンドデータとしてメモリ部３０に記憶される。各チャンネルのバックグラウンドデータは一定周期で更新される。たとえば、チャンネルｃｈ２に対応するバックグラウンドデータは、時刻ｔ２において、ＣＨ２ａからＣＨ２ｂに更新される。このように、メモリ部３０中のメモリ領域ＭＡ１〜ＭＡｎにおいて、各チャンネルに対応するバックグラウンドデータは、周期的に逐次更新される。
【００６１】
再生データ選択信号ＳＬＶは、チャンネル切換が実行される時刻ｔ０において、ＨレベルからＬレベルにリセットされる。時刻ｔ０から時刻ｔ１の間および時刻ｔ１から時刻ｔ２の間においては、通常再生の準備が整う前に新たなチャンネル切換操作が実行されるため、再生データ選択信号ＳＬＶの信号レベルはＬレベルに維持される。
【００６２】
これに対応して、画像表示部８は、時刻ｔ０以前においてはチャンネルｃｈ１の通常再生データであるＣＨ１に対応した画像を表示する。その後時刻ｔ０から時刻ｔ１の間および時刻ｔ１から時刻ｔ２の間においては、チャンネルｃｈ２およびｃｈ４にそれぞれ対応するバックグラウンドデータＣＨ２ａおよびＣＨ４ａにそれぞれ基づく画像が、画像表示部８に表示される。
【００６３】
時刻ｔ２以降において新たなチャンネル切換操作は入力されないので、通常再生のための条件が整った時刻ｔ３において、フラグ信号ＲＤＹの変化に対応して再生データ選択信号ＳＬＶの信号レベルがＬレベルからＨレベルに変化する。したがって、画像表示部８は、時刻ｔ２から時刻ｔ３の間においては、チャンネルｃｈ５のバックグラウンドデータＣＨ５ａに基づく画像を表示し、時刻ｔ３以降においては、チャンネルｃｈ５に対応する通常再生データＣＨ５に基づく画像を表示する。
【００６４】
このようにして、短い周期でユーザがチャンネル切換を実行しても、これに対応して連続的に画像を表示することが可能となる。特にバックグラウンドデータに基づく表示が行なわれる時刻ｔ０〜ｔ３の期間においては、通常のデジタル放送受信装置においては、受信した放送電波に基づく画像表示が不能な期間であるので、この期間においても連続的に画像表示を実行することによって、ユーザの不快感を取除くことができる。また、バックグラウンドデータは周期的に逐次更新されているので、バックグラウンドデータの内容は、通常再生による画面の内容に近いものとすることができる。これにより、ユーザが各チャンネルにおける放送内容を短時間に把握するために実行される、いわゆるチャンネルのつまみ食い操作についても対応することができる。
【００６５】
なお、バックグラウンドチャンネルの選択について、実施の形態１においては受信可能なチャンネルを均等に選択する構成としたが、バックグラウンドチャンネルの選択対象を受信可能なチャンネルのうちの一部に特定することも可能である。この場合には、たとえばユーザの過去における各チャンネルの選択頻度や選択パターンに基づいて、バックグラウンドチャンネルの対象となる一部のチャンネルを指定することができる。
【００６６】
［実施の形態２］
図４は、本発明の実施の形態２に従うデジタル放送受信装置５０の画像信号処理に関する主要部を説明するブロック図である。
【００６７】
図４を参照して、デジタル放送受信装置５０は、図１に示したデジタル放送受信装置１０と比較して、バックグランドデータに対応して設けられる、ＭＰＥＧビデオデコード部２１およびＭＰＥＧビデオエンコード部２５とをさらに備える点で異なる。
【００６８】
ＭＰＥＧビデオデコード部２１は、バックグラウンドデータを生成するために選局部１８ｂが出力する画像符号化データＶＣＤｂを一旦復号する。ＭＰＥＧビデオエンコード部２５は、ＭＰＥＧビデオデコード部２１によって一旦復号された画像符号化データＶＣＤｂを再符号化して、画像符号化データＶＣＤｂ´を出力する。メモリ部３０は、再符号化された画像符号化データＶＣＤｂ´をバックグラウンドデータとして記憶する。
【００６９】
ここで、ＭＰＥＧビデオエンコード部２５における再符号化は、再符号化後の画像符号化データＶＣＤｂ´のデータ量が、選局部１８ｂから出力される時点における画像符号化データＶＣＤｂのデータ量よりも少なくなるように行なわれる。たとえば、再符号化における解像度を、通常再生データに対応する解像度よりも低く設定することによって、メモリ部３０に格納されるバックグラウンドデータの容量を抑制することができる。
【００７０】
これにより、メモリ部３０のメモリ容量は、図１に示したデジタル放送受信装置１０の場合よりも小型化することができる。この結果、デジタル放送受信装置の低コスト化および小型化を図ることができる。
【００７１】
デジタル放送受信装置５０における他の部分の構成および動作は、図１に示したデジタル放送受信装置１０の場合と同様であるので説明は繰返さない。
【００７２】
［実施の形態２の変形例］
図５は、本発明の実施の形態２の変形例に従うデジタル放送受信装置５１のの画像信号処理に関する主要部を説明するブロック図である。
【００７３】
図５を参照して、デジタル放送受信装置５１は、図４に示したデジタル放送受信装置５０と比較して、ＭＰＥＧビデオデコード部２１を具備しない点およびＭＰＥＧビデオデコード部２０の後段にデータセレクタ３６およびデータバッファ２２をさらに備える点で異なる。
【００７４】
デジタル放送受信装置５１のその他の部分の構成および動作は、図４に示したデジタル放送受信装置５０の場合と同様であるので詳細説明は繰返さない。
【００７５】
デジタル放送受信装置５１においては、図４で説明したような、バックグラウンドデータに対応する画像符号化データを一旦復号する処理を、ＭＰＥＧビデオデコード部２０を共用して実行する。
【００７６】
したがって、データセレクタ３４に対して、選局部１８ａからの画像符号化データＶＣＤａおよびデータセレクタ３２からのバックグラウンドデータに対応する画像符号化データＶＣＤｂに加えて、選局部１８ｂからの再符号化された画像符号化データＶＣＤｂ´がさらに入力される。
【００７７】
データセレクタ３４は、再生データ選択信号ＳＬＶ´に応じて、画像符号化データＶＣＤａ、ＶＣＤｂおよびＶＣＤｂ´のうちのいずれか１つを、ＭＰＥＧビデオデコード部２０に出力する。
【００７８】
ＭＰＥＧビデオデコード部２０は、データセレクタ３４からの画像符号化データを順次復号することによって、画像表示部８に表示するための通常再生用データおよびバックグラウンド再生用データの復号処理と、メモリ部３０に格納されるバックグラウンドデータのデータ量を抑制するための復号処理とを併せて行なう。
【００７９】
したがって、データセレクタ３６は、再生データ選択信号ＳＬＶ″に応じて、画像表示部８で表示される通常再生用の画像符号化データＶＣＤａおよびバックグラウンド再生用の画像符号化データＶＣＤｂ´がＭＰＥＧビデオデコード部２０によって復号される場合には、復号された画像信号をデータバッファ２２に対して出力する。一方、ＭＰＥＧビデオデコード部２０が、メモリ部３０に格納されるバックグラウンドデータを生成するための画像符号化データＶＣＤｂを復号する場合においては、復号された画像信号をＭＰＥＧビデオエンコード部２５に対して出力する。
【００８０】
ＭＰＥＧビデオエンコード部２５は、図４の場合と同様に、復号前の画像符号化データＶＣＤｂよりもデータ量が少なくなるように、再符号化を行なう。これにより、図４の場合と同様に、メモリ部３０のメモリ容量を小さくすることができる。
【００８１】
このように、ＭＰＥＧビデオデコード部２０の処理能力が十分高い場合には、データバッファ２２によって画像表示部８に送出されるべき画像信号を一時的に蓄積可能な構成を採用することによって、新たにＭＰＥＧビデオデコード部を追加することなくメモリ部３０を小容量化できる。
【００８２】
［実施の形態３］
実施の形態１および２においては、通常再生が不能である場合においては、周期的に更新される各チャンネルのバックグラウンドデータを再生する構成について説明した。したがって、実施の形態１および２のデジタル放送受信装置においては、必然的に複数のチューナ系統（選局部）が必要である。実施の形態３においては、チューナ系統（選局部）が単一である場合に対応して、通常再生待ち期間における画面表示が可能な構成について説明する。
【００８３】
図６は、本発明の実施の形態３に従うデジタル放送受信装置６０の画像信号処理に関する主要部を説明するブロック図である。
【００８４】
図６を参照して、デジタル放送受信装置６０は、アンテナ２によって受信された放送電波であるＲＦ信号を受ける入力端子１１ａと、ユーザ操作を受ける入力端子１１ｂと、画像表示部８に対してユーザが選択した所望のチャンネルに対応した画像信号を出力する出力端子１１ｃと、通常再生を行なうための選局部１８ａと、データセレクタ３４と、ＭＰＥＧビデオデコード部２０とを備える。選局部１８ａは、チューナ１２ａ、復調部１４ａおよびＴＳデコーダ１６ａを含む。デジタル放送受信装置６０は、さらに、制御部４０と、入力端子１１ｂに入力されたユーザ操作を制御部４０に伝達するためのインターフェイス部４５と、メモリ部３０とを備える。チャンネル選択信号ＣＳＬ１は、ユーザが選択した所望のチャンネルに対応して設定される。
【００８５】
デジタル放送受信装置６０は、通常再生待ち期間においては、所定の静止画面もしくは動画面を画像表示部８に表示するための画像信号を出力する。以下においては、通常再生待ち期間に表示される所定画面を受信待ち画面とも称する。メモリ部３０は、出荷時に記憶された受信待ち画面用の画像符号化データを記憶する。
【００８６】
制御部４０は、インターフェイス部４５を介して、電源投入やチャンネル切換指示を検出した場合には、ＭＰＥＧビデオデコード部２０からのフラグ信号ＲＤＹが通常再生が可能になったことを示す信号レベルに設定されるまでの間、メモリ部３０に対して、受信待ち画面用の画像符号化データＶＣＤｂの出力を指示するとともに、データセレクタ３４におけるデータ出力経路を切換える。これに応じて、データセレクタ３４は、メモリ部３０からの画像符号化データＶＣＤｂをＭＰＥＧビデオデコード部２０に対して出力する。
【００８７】
その後、ＭＰＥＧビデオデコード部２０による通常再生が可能となった場合には、フラグ信号ＲＤＹの変化に応答して、データセレクタ３４のデータ出力選択を切換えて、ＴＳデコーダ１６ａからの画像符号化データＶＣＤａをＭＰＥＧビデオデコード部２０に送出する。
【００８８】
このような構成とすることによって、電源投入時およびチャンネル切換時の直後等の通常再生が不能な期間中においても、画像表示が途切れないように受信待ち画面を表示することが可能となる。これにより、通常再生待ち期間において、ユーザに与える不快感を軽減することができる。
【００８９】
［実施の形態３の変形例１］
図７は、本発明の実施の形態３の変形例１に従うデジタル放送受信装置６１の主要部の構成を示すブロック図である。
【００９０】
図７を参照して、デジタル放送受信装置６１は、図６に示したデジタル放送受信装置６０と比較して、計時部４７をさらに備える点で異なる。計時部４７は、日付および時刻の少なくとも一方を計測する機能を有する。また、メモリ部３０には、複数の受信待ち画面にそれぞれ対応する複数の画像符号化データが記憶される。
【００９１】
制御部４０は、計時部４７によって計測される現在時刻や日付に基づき、時間帯や曜日、季節に応じて、メモリ部３０に格納される複数の画像符号化データのうちの１個を選択する。メモリ部３０は、メモリ制御信号ＣＭＤおよび画面選択信号ＤＳＬに応答して、制御部４０によって選択された受信待ち画面を表示するための画像符号化データＶＣＤｂをデータセレクタ３４に対して出力する。
【００９２】
このような構成とすることにより、デジタル放送受信装置６１においては、現在の日付や時刻に応じて、受信待ち画面の表示を自動的に切換えることが可能となり、娯楽性を高めることができる。
【００９３】
［実施の形態３の変形例２］
図８は、本発明の実施の形態３の変形例２に従うデジタル放送受信装置６２の主要部の構成を示すブロック図である。
【００９４】
図８を参照して、デジタル放送受信装置６２は、図６に示したデジタル放送受信装置６０の構成と比較して、メモリ部３０に対応してデータセレクタ３１および３２をさらに備える点で異なる。
【００９５】
デジタル放送受信装置６２は、放送局がデータ放送等を使って送信した文字情報等をメモリ部３０に記憶して、通常再生待ち期間において受信待ち画面として画像表示部８に表示するための画像信号を出力する。
【００９６】
したがって、メモリ部３０は、各チャンネルに対応するメモリ領域ＭＡ１〜ＭＡｎを含む。ＴＳデコーダ１６ａは、文字情報に対応する符号化データを画像符号化データ等から分離してデータセレクタ３１に対して出力する。データセレクタ３１は、チャンネル選択信号ＣＳＬ１に応じて動作し、選局部１８ｂからの符号化データを受信チャンネルに対応するメモリ領域に格納する。
【００９７】
電源投入時やチャンネル切換時における通常再生待ち期間においては、現時点におけるユーザの選択チャンネルに対応する符号化データが、メモリ部３０からデータセレクタ３４に対して、チャンネル選択信号ＣＳＬ１に応じて動作するデータセレクタ３２を介して送出される。これにより、受信待ち画面を、文字データ放送等によって受信される情報に応じて表示することが可能になる。
【００９８】
［実施の形態３の変形例３］
図９は、本発明の実施の形態３の変形例３に従うデジタル放送受信装置６３の主要部の構成を示すブロック図である。
【００９９】
図９を参照して、デジタル放送受信装置６３は、図６に示したデジタル放送受信装置６０と比較して、ＭＰＥＧビデオエンコード部２５をさらに備える点で異なる。ＭＰＥＧビデオエンコード部２５は、制御部４０が生成する制御信号ＣＰに応答して、ＭＰＥＧビデオデコード部２０が出力する画像信号を符号化する。ＭＰＥＧビデオデコード部２０からの画像符号化データＶＣＤｃは、メモリ部３０に伝達される。メモリ部３０は、画像符号化データＶＣＤｃを再生待ち画面用として記憶する。
【０１００】
制御信号ＣＰは、入力端子１１ｂに入力されるユーザ指示に応答して生成される。これにより、ユーザが放送中の表示画像から任意の静止画あるいは動画をキャプチャして、再生待ち画面として採用することが可能になる。また、ＭＰＥＧビデオエンコード部２５の符号化における解像度を通常再生時よりも低下させれば、メモリ部３０を小型化することも可能である。
【０１０１】
［実施の形態３の変形例４］
図１０は、本発明の実施の形態３の変形例４に従うデジタル放送受信装置６４の主要部の構成を示すブロック図である。
【０１０２】
図１０を参照して、デジタル放送受信装置６４は、図６に示したデジタル放送受信装置６０と比較して、制御部４０に対して、チューナ１２ａからの受信状態信号ＪＳＴが入力される点が異なる。チューナ１２ａは、放送終了時や映像信号が途絶えたとき等、アンテナ２で受信された放送電波であるＲＦ信号の入力が途絶えた場合に、受信状態信号ＪＳＴを活性化する。
【０１０３】
制御部４０は、通常再生待ち期間に加えて、受信状態信号ＪＳＴが活性化された場合においても待ち画面を表示すべく、メモリ部３０に対して受信待ち画面を表示するための画像符号化データの読出する。さらに、制御部４０は、データセレクタ３４によってメモリ部３０から読出された画像符号化データが出力されるように、再生データ選択信号ＳＬＶの設定を切換える。
【０１０４】
これにより、電源投入時やチャンネル切換時に応答した通常再生待ち期間に加えて、放送終了時や映像信号の入力が途絶えたような場合においても、再生待ち画面を自動的に呼出して画像表示部に表示することが可能となる。
【０１０５】
なお、図１０に示したデジタル放送受信装置６４は、実施の形態３に従うデジタル放送受信装置６０の構成に対して、チューナにおけるＲＦ信号の受信状態に応じて受信待ち画面を表示するものであるが、同様の構成を、実施の形態１に従うデジタル放送受信装置１０、実施の形態２およびその変形例にそれぞれ従うデジタル放送受信装置５０，５１および実施の形態３の変形例１から３にそれぞれ従うデジタル放送受信装置６１，６２，６３に対して適用することも可能である。
【０１０６】
また、本発明の実施の形態においては、ＭＰＥＧ２規格に従う符号化データを用いたデジタル放送を受信する構成について説明したが、本願発明は、この他にＭＰＥＧ１規格、ＭＰＥＧ４規格およびモーションＪＰＥＧ（Ｊｏｉｎｔ  Ｐｈｏｔｏｇｒａｐｈｉｃ  Ｅｘｐｅｒｔｓ  Ｇｒｏｕｐ）規格等の他の符号化規格によるデジタル放送の受信に対しても、同様に適用することが可能である。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０８】
【発明の効果】
この発明のデジタル放送受信装置によれば、チャンネル切換直後等において所望チャンネルに対応するリアルタイムな映像の表示が可能になるまでの間において、内部に予め記憶された所望チャンネルの過去の映像に対応する画像符号化データを読み出して、映像を表示することができる。この結果、ユーザが連続的にチャンネル選択を切換えた場合においても、映像表示が途切れることがなくユーザに不快感を与えることがない。さらに、内部に予め記憶される画像符号化データの内容を各チャンネルごとに一定周期で順次更新することにより、ユーザは、連続的なチャンネル選択の切換えによって、各チャンネルにおける放送内容を短時間で把握できる。
【０１０９】
さらに、この発明のデジタル放送受信装置によれば、所望チャンネルに対応するリアルタイムな映像の表示が可能になるまでの間において、内部に予め記憶された所定画面に対応する画像符号化データを読み出して、映像を表示することができる。この結果、チューナ機能を含む選局部が単一である場合においても、電源投入直後やチャンネル切換直後等において映像表示が途切れることがないので、ユーザに不快感を与えることがない。
【図面の簡単な説明】
【図１】本発明の実施の形態１に従うデジタル放送受信装置の画像信号処理に関する主要部を説明するブロック図である。
【図２】ユーザによるチャンネル選択の切換時における制御部４０の制御動作を説明するフローチャートである。
【図３】デジタル放送受信装置１０の動作の一例を説明するタイミングチャートである。
【図４】本発明の実施の形態２に従うデジタル放送受信装置の画像信号処理に関する主要部を説明するブロック図である。
【図５】本発明の実施の形態２の変形例に従うデジタル放送受信装置の画像信号処理に関する主要部を説明するブロック図である。
【図６】本発明の実施の形態３に従うデジタル放送受信装置の画像信号処理に関する主要部を説明するブロック図である。
【図７】本発明の実施の形態３の変形例１に従うデジタル放送受信装置の画像信号処理に関する主要部を説明するブロック図である。
【図８】本発明の実施の形態３の変形例２に従うデジタル放送受信装置の画像信号処理に関する主要部を説明するブロック図である。
【図９】本発明の実施の形態３の変形例３に従うデジタル放送受信装置の画像信号処理に関する主要部を説明するブロック図である。
【図１０】本発明の実施の形態３の変形例４に従うデジタル放送受信装置の画像信号処理に関する主要部を説明するブロック図である。
【図１１】一般的なデジタルテレビ放送受信システムの構成を示す概略ブロック図である。
【図１２】ＭＰＥＧ２に従う画像符号化データの構成を説明する概略図である。
【符号の説明】
２  アンテナ、８  画像表示部、１２ａ，１２ｂ  チューナ、１４ａ，１４ｂ復調部、１６ａ，１６ｂ  ＴＳデコーダ、２０，２１  ＭＰＥＧビデオデコード部、２５  ＭＰＥＧビデオエンコード部、３０  メモリ部、３１，３２，３４，３６  データセレクタ、２２  データバッファ、４０  制御部、４５  インターフェイス部、ＭＡ１〜ＭＡｎ  メモリ領域、ＶＣＤａ，ＶＣＤｂ，ＶＣＤｂ´，ＶＣＤｃ  画像符号化データ。
【図１】
0003631123.tif 000002
【図２】
0003631123.tif 000003
【図３】
0003631123.tif 000004
【図４】
0003631123.tif 000005
【図５】
0003631123.tif 000006
【図６】
0003631123.tif 000007
【図７】
0003631123.tif 000008
【図８】
0003631123.tif 000009
【図９】
0003631123.tif 000010
【図１０】
0003631123.tif 000011
【図１１】
0003631123.tif 000012
【図１２】
0003631123.tif 000013